(57)【要約】【課題】パイプが構造物に固定された状態で新たに取り付けることができるパイプ抱持バンド取付具を提供する。【解決手段】パイプ抱持バンド取付具１０は、構造物の表面に添設される基板部１１と、基板部１１の板面の一方向に突出した、構造物に埋設されるボルト体１３と、基板部１１よりボルト体１３とは反対方向に突出した、パイプ抱持バンド３０を固定するための取付固定部１２とを備えている。このパイプ抱持バンド３０は、パイプ抱持バンド取付具１０の取付固定部１２に固定される板状の取付片部３１を備えている。取付固定部１２は、一対の板状片とされ、基板部１１の両側端のそれぞれにヒンジ結合されており、取付片部３１に重合して固定具で固定されるようになっている。【選択図】図１
2018031388.tif 000002
【特許請求の範囲】
【請求項１】
構造物の表面に添設される基板部と、該基板部の板面の一方向に突出した、前記構造物に埋設されるボルト体と、前記基板部より該ボルト体とは反対方向に突出した、パイプ抱持バンドを固定するための取付固定部とを備えたパイプ抱持バンド取付具において、
前記パイプ抱持バンドは、前記取付固定部に固定される板状の取付片部を備えており、
前記取付固定部は、一対の板状片とされ、前記基板部の両側端のそれぞれにヒンジ結合されており、前記取付片部に重合して固定具で固定されるようになっていることを特徴とするパイプ抱持バンド取付具。
【請求項２】
請求項１において、
前記取付固定部は、前記基板部に一端がヒンジ結合された回動基部と、該回動基部の他端より折曲、延出した、前記取付片部に重合する重合固定部とを備えていることを特徴とするパイプ抱持バンド取付具。
【発明の詳細な説明】
【技術分野】
【０００１】
本発明は、外壁などの構造物の表面に沿って上下方向等に配設される竪樋等のパイプを取り付けるためのパイプ抱持バンドを固定するパイプ抱持バンド取付具に関する。
【背景技術】
【０００２】
図５に示すように、この種のパイプ抱持バンド取付具１１０は、パイプ１３５の配設方向（図例では上下方向）に沿って複数個所に取り付けられ、それらによってパイプ１３５を支持するようになっている。
【０００３】
図５に示したパイプ抱持バンド取付具１１０は、特許文献１に示したものと同様、外壁３等の構造物の表面に添設される基板部１１１と、パイプ固定用のパイプ抱持バンドを取り付けるための長方形板状の取付固定部１１２と、外壁３に固定される軸状のボルト体１１３とを連結して構成されている。外壁３にはアンカー雌ねじ５が埋設されており、ボルト体１１３はそのアンカー雌ねじ５に螺合して埋設され、固定されるようになっている。
【０００４】
このようなパイプ抱持バンド取付具１１０は、パイプ抱持バンド１３０と組み合わされてパイプ支持体１２０が構成され、そのパイプ支持体１２０をパイプ１３５の高さ方向の複数個所に設けることで、パイプ１３５を構造物にしっかりと固定できるようになっている。
【先行技術文献】
【特許文献】
【０００５】
【特許文献１】特開２００２−３１２６９号公報
【発明の概要】
【発明が解決しようとする課題】
【０００６】
ところで、この種のパイプ抱持バンド取付具１１０は施工後には風雨に晒されるため経年による錆の発生などにより劣化することがある。しかも、複数個所に設けられたパイプ支持体１２０（パイプ抱持バンド取付具１１０およびパイプ抱持バンド１３０）は、高さ位置により劣化の度合が異なる場合がある。
【０００７】
このような場合、部材を効率よく使用するために、その劣化したパイプ支持体１２０以外のパイプ支持体１２０をそのままにして、劣化したパイプ支持体１２０のみを取り替えることが考えられる。しかしながら、パイプ１３５が起立した状態における取り替え作業であるため、劣化したパイプ支持体１２０を取り除くことはできたとしても、パイプ支持体１２０、特にパイプ抱持バンド取付具１１０は前後方向に長いため新たに取り付けることはきわめて困難とされる。そのため、従来では、交換されずにそのまま利用される他のパイプ支持体１２０のみでパイプ１３５を支持する、という事態になることがほとんどであった。
【０００８】
したがって、パイプ１３５を支持するパイプ支持体１２０が徐々に少なくなり、パイプ１３５の起立状態が不安定になるおそれがある。そのため、パイプの起立状態が不安定になった場合、あるいは不安定になりそうな場合には、すべてのパイプ支持体１２０を取り除いてパイプ１３５を取り外した後に、一からパイプ１３５およびパイプ支持体１２０の施工をしなおす必要があった。
【０００９】
本発明は、このような事情を考慮して提案されたもので、その目的は、パイプが構造物に固定された状態で新たに取り付けることができるパイプ抱持バンド取付具を提供することにある。
【課題を解決するための手段】
【００１０】
上記目的を達成するために、請求項１に記載のパイプ抱持バンド取付具は、構造物の表面に添設される基板部と、該基板部の板面の一方向に突出した、前記構造物に埋設されるボルト体と、前記基板部より該ボルト体とは反対方向に突出した、パイプ抱持バンドを固定するための取付固定部とを備えたパイプ抱持バンド取付具において、前記パイプ抱持バンドは、前記取付固定部に固定される板状の取付片部を備えており、前記取付固定部は、一対の板状片とされ、前記基板部の両側端のそれぞれにヒンジ結合されており、前記取付片部に重合して固定具で固定されるようになっていることを特徴とする。
【００１１】
請求項２に記載のパイプ抱持バンド取付具は、前記取付固定部が、前記基板部に一端がヒンジ結合された回動基部と、該回動基部の他端より折曲、延出した、前記取付片部に重合する重合固定部とを備えていることを特徴とする。
【発明の効果】
【００１２】
請求項１に記載のパイプ抱持バンド取付具によれば、上述した構成となっているため、パイプが構造物に固定された状態で新たにパイプ抱持バンド取付具を取り付けることができる。
【００１３】
請求項２に記載のパイプ抱持バンド取付具によれば、上述した構成となっているため、パイプ抱持バンドの取付片部をパイプ抱持バンド取付具にしっかりと固定させることができる。
【図面の簡単な説明】
【００１４】
【図１】本発明の一実施形態に係るパイプ抱持バンド取付具の説明図である。（ａ）（ｂ）は、パイプ抱持バンド取付具の２種の変化状態を示す斜視図である。
【図２】（ａ）（ｂ）は、パイプ抱持バンド取付具の取付手順を示す説明図であり、（ａ）は平面図（一部横断面図）、（ｂ）は側面図（一部縦断面図）である。
【図３】パイプ抱持バンド取付具の取付状態（取り付けの途中の状態）を示す斜視図である。
【図４】パイプ抱持バンド取付具の使用態様の一例を示す斜視図である。
【図５】従来のパイプ抱持バンド取付具の取付例を示す側面図である。
【発明を実施するための形態】
【００１５】
以下に、本発明の実施の形態について、添付図面をもとに説明する。まず、パイプ抱持バンド取付具１０の基本構成について説明する。
【００１６】
パイプ抱持バンド取付具１０は、構造物（たとえば外壁３）の表面に添設される基板部１１と、基板部１１の板面の一方向に突出した、構造物に埋設されるボルト体１３と、基板部１１よりボルト体１３とは反対方向に突出した、パイプ抱持バンド３０を固定するための取付固定部１２とを備えた取付具である。
【００１７】
パイプ抱持バンド３０は取付固定部１２に固定される板状の取付片部３１を備えている。取付固定部１２は、一対の板状片とされ、基板部１１の両側端のそれぞれにヒンジ結合されており、取付片部３１に重合して固定具で固定されるようになっている。
【００１８】
この取付具によれば、パイプ支持体（パイプ抱持バンド取付具およびパイプ抱持バンド）が劣化した場合などに取り替えの必要のある一部のパイプ抱持バンド取付具を同じ位置に簡易に取り付けることができる。
【００１９】
ついで、図１〜図４に示した取付具について詳述する。
【００２０】
このパイプ抱持バンド取付具１０は、基板部１１、取付固定部１２およびボルト体１３の３種の部材よりなり、いずれもがたとえばステンレス等の金属よりなる。基板部と、一組（２枚）の取付固定部とは上述したように基板部の両端の２箇所において、ヒンジ結合により一体化されている。
【００２１】
基板部１１は、図１（ａ）（ｂ）に示すように矩形平板状とされ、その中央にボルト体１３が挿通される挿通孔（不図示）が開設されている。基板部１１は、その裏面（挿通孔にボルト体１３の軸部１３ｂが挿通されたときに軸部１３ｂが突出した方の面）が外壁３などの構造物の表面に接するようにして添設される部材である。
【００２２】
ボルト体１３は、図１（ａ）（ｂ）に示すように、その軸部１３ｂが基板部１１の挿通孔に挿通した状態で、外壁３などの構造物に埋設されたアンカー雌ねじ５に螺合して埋設され、ボルト頭１３ａは基板部１１の表面側に配される。
【００２３】
取付固定部１２は、図１（ａ）（ｂ）に示すように、平板状の回動基部１２ａと平板状の重合固定部１２ｂとよりなり、平面視で折曲「く」字状とされ、折曲による突出部１２ｄが相互に向き合うように基板部１１に回動連結されている。重合固定部１２ｂには、図４で後述するようにパイプ抱持バンド３０を取り付けるための２つのボルト挿通孔１２ｃが開設されている。
【００２４】
図１（ａ）に示すように、取付固定部１２どうしが回動により最も近づいた状態では、重合固定部１２ｂの開放端１２ｅ（図１（ａ）参照）から突出部１２ｄ（図１（ａ）参照）までの向き合う平面どうしが面接触する。また、そのとき、基板部１１と２つの回動基部１２ａとで、平面視で三角形の空間が形成される。このとき、ボルト体１３のボルト頭１３ａは、この空間内に配されている。
【００２５】
このように、重合固定部１２ｂが図１（ｂ）のように重合された状態で、その重合体を挟むように、パイプ抱持バンド３０の取付片部３１が取り付けられる。なお、パイプ抱持バンド３０については、図４の説明において詳述する。
【００２６】
このようなパイプ抱持バンド取付具１０は、図２（ａ）（ｂ）に示すような手順で外壁３に取り付けられる。なお、図２（ａ）の２点鎖線で示した図は、パイプ抱持バンド取付具１０が外壁３に取り付け、固定された状態を示す模式図である。この取付態様（取付手順）は、パイプ支持体２０（パイプ抱持バンド取付具１０およびパイプ抱持バンド３０）の取り替えなどの際、図２（ａ）に示すように、パイプ３５が起立した状態で実施されるものであり、外壁３には、従前より用いられていた、旧パイプ抱持バンド取付具１０用に設けられたアンカー雌ねじ５が埋設されており、これを再利用する態様である。
【００２７】
取り替えのための新規のパイプ抱持バンド取付具１０は、両取付固定部１２を横方向に相互に遠ざかるように、地面に略水平になるように、かつ外壁３との間の間隔がほぼ均等になるように広げた状態にして、たとえば図２（ａ）の白抜き矢印より壁面に平行に移動させていく。その後、パイプ抱持バンド取付具１０を図２（ａ）（ｂ）に示す位置から後方に向けて移動させ、図３に示すように、ボルト体１３の軸部１３ｂをアンカー雌ねじ５に螺合させていく。そして、基板部１１が外壁３に添設されるようになるまで（図２（ａ）の２点鎖線参照）螺進させていくことで、パイプ抱持バンド取付具１０の取り付けが完了する。
【００２８】
このように、基板部１１と２枚の取付固定部１２との連結体は回動により平板に近い状態に変形できるため、起立したパイプ３５と外壁３との限られた間隔に差し入れることができる。つまり、パイプ３５を取り外すことなく、また劣化したパイプ抱持バンド取付具１０を取り外したままにしておくことなく、同じ部位に新たなパイプ支持体２０（パイプ抱持バンド取付具１０およびパイプ抱持バンド３０）を取り付けることができる。
【００２９】
また、ボルト体１３の埋設作業は、図２（ｂ）および図３に示すように、取付固定部１２が両側に開いた状態となっているため、工具の回転操作がしやすく、効率的な取り付け作業を行うことができる。
【００３０】
工具の回転操作をしやすくするためには、取付固定部１２を、図２（ａ）で示した状態よりもさらに後方に回動させ、基板部１１と両方の回動基部１２ａとを平板状に変形させた状態で操作すればよい。またさらに、回動基部１２ａ、重合固定部１２ｂ間もヒンジ結合により連結して、基板部１１および２つの取付固定部１２が略平板状に変形できるように形成してもよい。
【００３１】
また、基板部１１とボルト体１３の溶接などで一体化したパイプ抱持バンド取付具１０を用いれば、取付固定部１２を手でハンドル代わりに持って回転させてボルト体１３を埋設させることができる。したがって、そのような取付具であれば、工具を用いることなくパイプ抱持バンド取付具１０を取り替えることができる。
【００３２】
このようにパイプ抱持バンド取付具１０を外壁３の所望の位置のアンカー雌ねじ５に取り付け、固定した後には、取付固定部１２の重合固定部１２ｂを図１（ｂ）示すように重ね合わせるように図２（ａ）の２点鎖線の状態に変形することで、パイプ抱持バンド３０が取り付けられるようになる。そして、重合固定部１２ｂを重ね合わせた重合体をパイプ抱持バンド３０の取付片部３１で挟むようにしてパイプ抱持バンド３０を取り付けることができる。
【００３３】
パイプ抱持バンド３０は、図４に示すように、帯板よりなる環状のバンド部３２と、バンド部３２の後端部より後方に延びた平板状の取付片部３１とを有しており、取付片部３１には、パイプ抱持バンド取付具１０の取付固定部１２に設けたボルト挿通孔１２ｃに孔間隔が合致するように、固定具（ボルト３３、ナット３４）で固定するための２つのボルト挿通孔３１ａが開設されている。
【００３４】
このようなパイプ抱持バンド３０は、バンド部３２をパイプ３５に巻きつけ抱持してから、取付片部３１でパイプ抱持バンド取付具１０の取付固定部１２の重合固定部１２ｂを挟み込むようにしてボルト３３、ナット３４で固定される。
【００３５】
以上では、既設のパイプ３５を支持した一部のパイプ支持体２０を取り替える場合の取り替え態様、手順について説明したが、本パイプ抱持バンド取付具１０はパイプ３５を新設する場合でも使用することができることは言うまでもない。パイプ３５を新設する場合には、パイプ抱持バンド取付具１０を外壁３に上下方向に取り付けていき、その後、それらのパイプ抱持バンド取付具１０に対して、パイプ抱持バンド３０およびパイプ３５を施工することができる。また、パイプ３５の新設の場合は、パイプ３５を取り付ける前にパイプ支持体２０（パイプ抱持バンド取付具１０およびパイプ抱持バンド３０）を外壁３に取り付けておいても、取り付けることができる。
【００３６】
以上の取付態様では、パイプ抱持バンド３０の取付片部３１でパイプ抱持バンド取付具１０の重合固定部１２ｂを挟み込むようになっているが、重合固定部１２ｂで取付片部３１を挟み込む態様にも対応でき、相互に交互に挟み込むような取付態様にも対応することができる。
【００３７】
また、重合固定部１２ｂのボルト挿通孔１２ｃ、取付片部３１のボルト挿通孔３１ａのいずれか一方が長孔であってもよい。なお、重合固定部１２ｂのボルト挿通孔１２ｃを長孔とする場合には、重合の際に重合固定部１２ｂの長孔どうしがずれないように、重合固定部１２ｂの前端、板面などに位置決め部を設けた構成としてもよい。
【符号の説明】
【００３８】
１０          パイプ抱持バンド取付具
１１          基板部
１１ａ        ボルト挿通孔
１２          取付固定部
１２ａ        回動基部
１２ｂ        重合固定部
１２ｃ        ボルト挿通孔
１２ｄ        突出部
１２ｅ        開放端
１３          ボルト体
１３ａ        ボルト頭
１３ｂ        軸部
２０          パイプ支持体
３０          パイプ抱持バンド
３１          取付片部
３１ａ        ボルト挿通孔
３２          バンド部
３３          ボルト
３４          ナット
３５          パイプ
３            外壁（構造物）
５            アンカー雌ねじ
【図１】
2018031388.tif 000003
【図２】
2018031388.tif 000004
【図３】
2018031388.tif 000005
【図４】
2018031388.tif 000006
【図５】
2018031388.tif 000007
【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
構造物の表面に添設される基板部と、該基板部の板面の一方向に突出した、前記構造物に埋設されるボルト体と、前記基板部より該ボルト体とは反対方向に突出した、パイプ抱持バンドを固定するための取付固定部とを備えたパイプ抱持バンド取付具において、
前記パイプ抱持バンドは、前記取付固定部に固定される板状の取付片部を備えており、
前記取付固定部は、一対の板状片とされ、前記基板部の両側端のそれぞれにヒンジ結合されており、
前記取付固定部は、前記取付片部に重合して固定具で固定されるようになっている一方、両側へ回動により相互に遠ざかるように開くことで、前記基板部とともに平板に近い状態へ変形することを特徴とするパイプ抱持バンド取付具。
【請求項２】
請求項１において、
前記取付固定部は、前記基板部に一端がヒンジ結合された回動基部と、該回動基部の他端より折曲、延出した、前記取付片部に重合する重合固定部とを備えていることを特徴とするパイプ抱持バンド取付具。
【手続補正２】
【補正対象書類名】明細書
【補正対象項目名】００１０
【補正方法】変更
【補正の内容】
【００１０】
上記目的を達成するために、請求項１に記載のパイプ抱持バンド取付具は、構造物の表面に添設される基板部と、該基板部の板面の一方向に突出した、前記構造物に埋設されるボルト体と、前記基板部より該ボルト体とは反対方向に突出した、パイプ抱持バンドを固定するための取付固定部とを備えたパイプ抱持バンド取付具において、前記パイプ抱持バンドは、前記取付固定部に固定される板状の取付片部を備えており、前記取付固定部は、一対の板状片とされ、前記基板部の両側端のそれぞれにヒンジ結合されており、前記取付固定部は、前記取付片部に重合して固定具で固定されるようになっている一方、両側へ回動により相互に遠ざかるように開くことで、前記基板部とともに平板に近い状態へ変形することを特徴とする。